(57)【要約】【課題】ディスク面を保護するためにカートリッジを設けた光ディスクを使用する時に、複数の対物レンズアクチュエータとは衝突しない光学式ピックアップ装置を提供する。【解決手段】複数のアクチュエータの中から選択されたアクチュエータをレーザ光の光路中に設定し、前記レーザ光を前記アクチュエータの対物レンズを介して光ディスクに照射して、再生を行う光学ピックアップ装置において、前記複数のアクチュエータの中から前記光ディスクの種類に対応するアクチュエータを選択する信号を出力する選択手段と、前記複数のアクチュエータを載置する控え部及び前記レーザ光の光路中にあって、前記複数のアクチュエータの中から選択された前記アクチュエータを載置可能な設定部を有する固定台と、前記選択手段から出力される信号に基づいて選択された前記アクチュエータを前記控え部から前記設定部へ、又は前記設定部から前記控え部へ移動させる移動手段とする。【選択図】      図１
2005322333.tif 000002
【特許請求の範囲】
【請求項１】
複数のアクチュエータの中から選択されたアクチュエータをレーザ光の光路中に設定し、前記レーザ光を前記アクチュエータに設けられた対物レンズを介して光ディスクに照射して、記録再生を行う光学ピックアップ装置において、
前記複数のアクチュエータの中から前記光ディスクの種類に対応するアクチュエータを選択する信号を出力する選択手段と、
前記複数のアクチュエータを載置する控え部及び前記レーザ光の光路中にあって、前記複数のアクチュエータの中から選択された１の前記アクチュエータのみを載置可能な設定部を有する固定台と、
前記選択手段から出力される信号に基づいて選択された前記アクチュエータを前記控え部から前記設定部へ、又は前記設定部から前記控え部へ移動させる移動手段と、
からなることを特徴とする光学ピックアップ装置。
【発明の詳細な説明】
【技術分野】
【０００１】
本発明は、光学式ディスク状記録媒体（以下光ディスクと略す）の再生または記録再生を行う光学式ピックアップ装置に関するものである。
【背景技術】
【０００２】
光学式ディスクを再生、或いは記録再生するために用いられる光学式ピックアップ装置は、高密度な記録再生を行うために精度の高い高品位な光学系を必要とする。
【０００３】
現在、光ディスクには複数の種類のフォーマットが定められるようになり、光学式ピックアップはそれぞれのフォーマットに合わせなければならなくなった。
【０００４】
しかし、光ディスクの複数のフォーマット毎に、精度の高い高品位な光学系を持つ光学式ピックアップを別々の装置に搭載することは、使用上不便でありまたコストアップの要因にもなっていた。
【０００５】
このため、特許文献１に示されるように、１台の光学式ピックアップ装置に複数の光学式ピックアップを設置し、この複数の光学式ピックアップをフォーマット毎に切り替えることにより、１台の光学式ピックアップ装置で複数のフォーマットの光ディスクを用いることを可能にしている。例えば、ＤＶＤ記録再生用波長６５０ｎｍ、ＣＤ記録再生用７８０ｎｍの赤色レーザに対応させたものである。
【０００６】
そしてこの複数の光学式ピックアップは、同一平面状に設置されており、使用する時に必要な光学式ピックアップを水平方向に移動して記録再生位置に設置していた。
【０００７】
この複数の光学系を設置した光学式ピックアップ装置に光ディスクを装着する場合、従来の光ディスクはカートリッジを設けていなかったため、直接この光学式ピックアップ装置に光ディスクを装着しても光ディスクと光学式ピックアップは衝突することはなかった。
【０００８】
しかし、近年の技術革新により次世代ＤＶＤ記録再生用波長４０５ｎｍの青色レーザを対称にしたフォーマットに基づく光ディスクは高密度記録のディスク面を保護するためにカートリッジが設けられるようになり、このため図５に示すように従来の複数の光学式ピックアップ装置にカートリッジを設置した光ディスクを装着すると（Ａ）に示すように稼動前は衝突していなくとも、フォーマット毎に設置される複数の光学式ピックアップの対物レンズアクチュエータがカートリッジに図５（Ｂ）、（Ｃ）の衝突部分Pa及びＰｂに示すように稼動時に衝突してしまう危険性が生じる様になった。
【特許文献１】特開平９−５４９６１号公報
【発明の開示】
【発明が解決しようとする課題】
【０００９】
このように、従来の複数の対物レンズアクチュエータを水平方向に移動するように設置した光学式ピックアップ装置において、ディスク面を保護するためにカートリッジを設けた光ディスクを使用しようとすると、対物レンズアクチュエータとカートリッジが衝突してしまうという問題点がある。
【００１０】
そこで本発明は、上述した問題点を解決して、光ディスクにカートリッジを設けても複数の対物レンズアクチュエータとは衝突しない光学式ピックアップ装置を提供することを目的とする。
【課題を解決するための手段】
【００１１】
上記の目的を達成するため、複数のアクチュエータの中から選択されたアクチュエータをレーザ光の光路中に設定し、前記レーザ光を前記アクチュエータに設けられた対物レンズを介して光ディスクに照射して、記録再生を行う光学ピックアップ装置において、前記複数のアクチュエータの中から前記光ディスクの種類に対応するアクチュエータを選択する信号を出力する選択手段と、前記複数のアクチュエータを載置する控え部及び前記レーザ光の光路中にあって、前記複数のアクチュエータの中から選択された１の前記アクチュエータのみを載置可能な設定部を有する固定台と、前記選択手段から出力される信号に基づいて選択された前記アクチュエータを前記控え部から前記設定部へ、又は前記設定部から前記控え部へ移動させる移動手段と、からなることを特徴とする光学ピックアップ装置を提供する。
【発明の効果】
【００１２】
本発明の光ピックアップ装置によれば、カートリッジを設けた光ディスクを使用しても複数の光学式ピックアップのアクチュエータとは衝突しない、カートリッジの有無に左右されない複数のフォーマット用の光学式ピックアップを設置することが出来るので、種々のフォーマットの光ディスクにおける記録再生を、１台の光学式ピックアップ装置で行うことが出来る。
【発明を実施するための最良の形態】
【００１３】
以下、本発明の実施の最良の形態につき、好ましい実施例により、図１から図４に示す図面を参照して説明する。
【００１４】
図１は本発明の実施形態の光ピックアップ装置にカートリッジを設置した光ディスクを装着した場合の断面図を示し、図２は図１における光学式ピックアップ装置に装着した複数のアクチュエータの移動状態を示すものであり、（Ａ）は稼動していない状態、（Ｂ）はＤＶＤ用アクチュエータが移動し稼動する位置に設定された場合、（Ｃ）は青色レーザ用アクチュエータが移動し稼動する位置に設定された場合を示し、図３は図２におけるアクチュエータが稼動時の拡大図を示すものであり、（Ａ）は図２（Ｂ）ＤＶＤ用アクチュエータ近辺の拡大図、（Ｂ）は図２（Ｃ）の青色レーザ用アクチュエータ近辺の拡大図を示し、図４はアクチュエータを回転させて稼動する位置に移動する斜視図を示すものである。
【００１５】
図１に示すように、本発明の実施形態は、複数のアクチュエータの中から選択されたアクチュエータをレーザ光の光路中に設定し、前記レーザ光を前記アクチュエータの対物レンズを介して光ディスクに照射して、前記複数のアクチュエータの中から前記光ディスクの種類に対応するアクチュエータを選択する信号を出力する選択手段と、前記複数のアクチュエータを載置する控え部及び前記レーザ光の光路中にあって、前記複数のアクチュエータの中から選択された前記アクチュエータを載置可能な設定部を有する固定台と、前記選択手段から出力される信号に基づいて選択された前記アクチュエータを前記控え部から前記設定部へ、又は前記設定部から前記控え部へ移動させるものである。
【００１６】
この図１において、ベース１には複数の異なったフォーマットの光学式ディスクに記録再生を行うための複数の記録再生系及びフォーカス、トラッキングサーボ系を含む光学系及びそれら複数の光ビームを同軸に合成する手段が形成されており、例えば半導体レーザ１９から照射されたレーザ光をグレーティング１５、ビームスプリッタ１６、コリメータレンズ１７を経由して形成された光ビーム４が光学式ディスク３に出射される。光ディスク３からの反射光は受光器１８により受光され電気信号に変換され出力される。
【００１７】
そして光ディスク３のフォーマットに応じたアクチュエータ５ａがアクチュエータスライダ６ａに取り付けられ、ギヤ或いはリンク機構等の手段（図示しない）によって光ビーム４の光路中に挿入される。
【００１８】
この時、ベース１には光ディスク３に対向する突起部９が設けられており、アクチュエータスライダ６ａは矢印Ｘ１の方向に移動すると共にベース１に設けられた斜面１０ａに沿って上昇し、突起部９の上面に載置され、アクチュエータ５ａがカートリッジ２の下面に設けられた開口部に挿入されてディスク３に対向する。
【００１９】
尚、アクチュエータスライダ６ａに設けられた斜面１１ａはアクチュエータスライダ６ａがベース１の斜面１０ａに沿って上昇する動作を円滑にするためのものである。また、シャフト用部材７ａはアクチュエータスライダ６ａの移動方向及び切り替え前後の位置を規定し、バネ状部材８ａはアクチュエータスライダ６ａをベース１の方向に押圧するものである。
【００２０】
光ディスク３のフォーマットは、光ディスク３或いはカートリッジ２を検出手段１４によって識別され識別信号Ｓ０が出力されるから、この識別信号Ｓ０を選択手段１３によってＤＶＤ用アクチュエータ５ａを選択するときは駆動信号ＳａをＯＮにしてバネ状部材８ａを上方に移動し、アクチュエータスライダ６ａの押圧を緩めて稼動部に移動させる。
【００２１】
この識別信号Ｓ０が選択手段１３によって青色レーザ用アクチュエータ５ｂを選択するときは駆動信号ＳｂをＯＮにしてバネ状部材８ｂを上方に移動し、アクチュエータスライダ６ｂの押圧を緩めてＸ２方向の稼動部に移動させる。
【００２２】
すなわち、図２の（Ａ）において複数のアクチュエータ間最大幅Ｗｍがカートリッジ口径Ｗｋより広くても複数のアクチュエータ５ａ及び５ｂはカートリッジ２とは衝突しない距離Ｈ０を有することにより、図２の（Ｂ）に示すようにアクチュエータ５ａが選択された場合位置Ａから位置Ｂまで移動し、図２の（Ｃ）に示すようにアクチュエータ５ｂが選択された場合位置Ｃから位置Ｄまで移動するが、いずれの場合もカートリッジとアクチュエータは衝突しない。
【００２３】
さらに、図３の拡大図に示すように稼動時のアクチュエータ付近において、光ディスク３と対物レンズ１９ａ及び１９ａによる近接距離Ｌｒ及びＬｂが異なり、特に青色レーザ使用時に近接距離Ｌｂが短くなる。このため高さＨｂが高さＨｒに比較し著しく高くなっても、突起部９の突起距離Ｈ１をカートリッジとアクチュエータが衝突しない十分な高さに設定すれば良い。
【００２４】
このように、複数のアクチエータの両端高さＡ−Ｃ間の最大幅Ｗｍがカートリッジ口径Ｗｋより広く、突起部９がないとカートリッジ２と接触してしまう場合でも、突起部９の高さＨ１を使用するレーザ光の波長がもっとも短くなる光学式ピックアップに合わせて設定することにより、レーザ光の波長に左右されない複数の光学式ピックアップを設置した光学式ピックアップ装置を得ることが出来る。
【００２５】
次に図４に示すように、アクチュエータスライダ３３ａ、或いはアクチュエータスライダ３３ｂを回転させることにより光ディスクのフォーマットに対応したアクチュエータ３２ａ或いはアクチュエータ３２ｂを選択することも出来る。
【００２６】
すなわち、アクチュエータスライダ３３ａ或いはアクチュエータスライダ３３ｂはそれぞれ回動軸３４ａ及び３４ｂの中心を軸として矢印Ｒ１或いは矢印Ｒ２の方向に回動し、アクチュエータ３２ａ或いはアクチュエータ３２ｂを光路３１中に挿入して切り替える。
【００２７】
このように、複数のアクチエータを回動可能とすることにより、形状をコンパクトにまとめられ、より小型化を図ることが出来る。
【図面の簡単な説明】
【００２８】
【図１】本発明の実施形態の光ピックアップ装置にカートリッジを設置した光ディスクを装着した場合の断面図を示す。
【図２】図１における光学式ピックアップ装置に装着した複数のアクチュエータの移動状態を示す図であり、（Ａ）は稼動していない状態、（Ｂ）はＤＶＤ用アクチュエータが移動し稼動する位置に設定された場合、（Ｃ）は青色レーザ用アクチュエータが移動し稼動する位置に設定された場合を示すものである
【図３】図２におけるアクチュエータが稼動時の場合の拡大図を示すものであり、（Ａ）は図２（Ｂ）ＤＶＤ用アクチュエータ近辺の拡大図、（Ｂ）は図２（Ｃ）の青色レーザ用アクチュエータ近辺の拡大図を示すものである。
【図４】アクチュエータを回転させて稼動する位置に移動する斜視図を示す図である。
【図５】従来の光学式ピックアップ装置にカートリッジを装着した動作図である。
【符号の説明】
【００２９】
１・・・ベース、２・・・カートリッジ、３・・・光ディスク、４・・・光ビーム、
５ａ，ｂ・・・アクチエータ、６ａ，ｂ・・・アクチエータスライダ、
７ａ，ｂ・・・シャフト部材、８ａ，ｂ・・・バネ状部材、９・・・突起部、
１０ａ，ｂ，１１ａ，ｂ・・・斜面、１２ａ，ｂ・・・ベース上面、
１３・・・選択手段、１４・・・検出手段、１５・・・グレーティング、
１６・・・ビームスプリッタ、１７・・・コリメータレンズ、１８・・・受光器、
１９・・・半導体レーザ
３０・・・ベース、３１・・・光路、３２ａ，ｂ・・・アクチエータ、
３３ａ，ｂ・・・アクチエータスライダ、３４ａ，ｂ・・・回動軸、
３５・・・突起部上面、３６ａ，ｂ・・・ベース上面、３７・・・突起部、
３８ａ，ｂ，３９ａ，ｂ・・・斜面、４０ｂ・・・アクチエータスライダ斜面
【図１】
2005322333.tif 000003
【図２】
2005322333.tif 000004
【図３】
2005322333.tif 000005
【図４】
2005322333.tif 000006
【図５】
2005322333.tif 000007